(57)【要約】【課題】Ｗｅｂアーカイブ内に記憶された多種多様なＷｅｂページのリンクをたどることを課題とする。【解決手段】Ｗｅｂアーカイビング・システム１０において、情報取得装置３０は、Ｗｅｂアーカイブ２２ｂへ情報要求して所望のＷｅｂページの検索またはブラウジングをおこない、特定されたＷｅｂページ上で指定されたリンク先のＵＲＬに、Ｗｅｂアーカイブが具備されているＷｅｂアーカイビング・サーバ２０のアドレスを埋め込み、該アドレスをもとに、Ｗｅｂアーカイビング・サーバ２０に対してＷｅｂページの要求をおこなってＷｅｂアーカイブ２２ｂからリンク先のＷｅｂページを取得する。【選択図】        図１
2005148861.tif 000002
【特許請求の範囲】
【請求項１】
ネットワークを介して収集されたＷｅｂページを記憶するＷｅｂアーカイブから所望のＷｅｂページを取得するためにコンピュータで実行される情報取得プログラムであって、
前記Ｗｅｂアーカイブへ情報要求して所望のＷｅｂページの検索またはブラウジングをおこなう手順と、
前記特定されたＷｅｂページ上で指定されたリンク先のＵＲＬに、前記Ｗｅｂアーカイブが具備されているＷｅｂアーカイビング・サーバのアドレスを埋め込む手順と、
前記アドレスをもとに、Ｗｅｂアーカイビング・サーバに対してＷｅｂページの要求をおこなって前記Ｗｅｂアーカイブからリンク先のＷｅｂページを取得する取得手順と、
をコンピュータに実行させることを特徴とする情報取得プログラム。
【請求項２】
前記Ｗｅｂアーカイブは、収集されたＷｅｂページのアドレスと該Ｗｅｂページの世代情報とを対応付けてＷｅｂページを記憶しており、
前記所望のＷｅｂページの検索またはブラウジングがおこなわれた際に、該検索またはブラウジングに係る指示から特定されるＷｅｂページの世代情報を前記Ｗｅｂアーカイブから入手して保持する保持手順をさらにコンピュータに実行させ、
前記取得手順では、Ｗｅｂアーカイビング・サーバに対してＷｅｂページの要求をおこなうときに、該Ｗｅｂページの世代情報を含めて要求することを特徴とする請求項１に記載の情報取得プログラム。
【請求項３】
前記保持手順は、前記世代情報としてＷｅｂページの収集日時を保持することを特徴とする請求項２に記載の情報取得プログラム。
【請求項４】
前記取得手順で前記Ｗｅｂアーカイビング・サーバにＷｅｂページの要求をおこなうときに、前記Ｗｅｂアーカイブに前記アドレスおよび世代情報が一致するＷｅｂページが収集されていない場合には、前記Ｗｅｂアーカイブから同一のアドレスで世代情報の異なるＷｅｂページの世代一覧を取得する手順をさらにコンピュータに実行させることを特徴とする請求項２または３に記載の情報取得プログラム。
【請求項５】
ネットワークを介して収集されたＷｅｂページを記憶するＷｅｂアーカイブから所望のＷｅｂページを取得する情報取得方法であって、
前記Ｗｅｂアーカイブへ情報要求して所望のＷｅｂページの検索またはブラウジングをおこなう工程と、
前記特定されたＷｅｂページ上で指定されたリンク先のＵＲＬに、前記Ｗｅｂアーカイブが具備されているＷｅｂアーカイビング・サーバのアドレスを埋め込む工程と、
前記アドレスをもとに、Ｗｅｂアーカイビング・サーバに対してＷｅｂページの要求をおこなって前記Ｗｅｂアーカイブからリンク先のＷｅｂページを取得する取得工程と、
を含んだことを特徴とする情報取得方法。
【請求項６】
前記Ｗｅｂアーカイブは、収集されたＷｅｂページのアドレスと該Ｗｅｂページの世代情報とを対応付けてＷｅｂページを記憶しており、
前記所望のＷｅｂページの検索またはブラウジングがおこなわれた際に、該検索またはブラウジングに係る指示から特定されるＷｅｂページの世代情報を前記Ｗｅｂアーカイブから入手して保持する保持工程をさらに含み、
前記取得工程では、Ｗｅｂアーカイビング・サーバに対してＷｅｂページの要求をおこなうときに、該Ｗｅｂページの世代情報を含めて要求することを特徴とする請求項５に記載の情報取得方法。
【請求項７】
ネットワークを介して収集されたＷｅｂページを記憶するＷｅｂアーカイブから所望のＷｅｂページを取得する装置であって、
前記Ｗｅｂアーカイブへ情報要求して所望のＷｅｂページの検索またはブラウジングをおこなう手段と、
前記特定されたＷｅｂページ上で指定されたリンク先のＵＲＬに、前記Ｗｅｂアーカイブが具備されているＷｅｂアーカイビング・サーバのアドレスを埋め込む手段と、
前記アドレスをもとに、Ｗｅｂアーカイビング・サーバに対してＷｅｂページの要求をおこなって前記Ｗｅｂアーカイブからリンク先のＷｅｂページを取得する取得手段と、
を備えたことを特徴とする情報取得装置。
【請求項８】
前記Ｗｅｂアーカイブは、収集されたＷｅｂページのアドレスと該Ｗｅｂページの世代情報とを対応付けてＷｅｂページを記憶しており、
前記所望のＷｅｂページの検索またはブラウジングがおこなわれた際に、該検索またはブラウジングに係る指示から特定されるＷｅｂページの世代情報を前記Ｗｅｂアーカイブから入手して保持する保持手段をさらに含み、
前記取得手段がＷｅｂアーカイビング・サーバに対してＷｅｂページの要求をおこなうときに、該Ｗｅｂページの世代情報を含めて要求することを特徴とする請求項７に記載の情報取得装置。
【発明の詳細な説明】
【技術分野】
【０００１】
本発明は、ネットワークを介して収集されたＷｅｂページを記憶するＷｅｂアーカイブから所望のＷｅｂページを取得するためにコンピュータで実行される情報取得プログラム、情報取得方法および情報取得装置に関し、特に、Ｗｅｂアーカイブ内に記憶された多種多様なＷｅｂページのリンクをたどることができる情報取得プログラム、情報取得方法および情報取得装置に関するものである。
【背景技術】
【０００２】
従来より、インターネット上には、様々な情報が公開されているが、インターネット上の情報は日々変遷し、移動することによって消滅してしまうものである。近年では、先進各国が文化資産保護の目的で、このようなインターネット上の情報を収集、蓄積し、恒久的に保存する活動を実験的に実施している。
【０００３】
例えば、非特許文献１、２では、インターネットを介してＷｅｂページを収集し、該収集されたＷｅｂページをＷｅｂアーカイブ内に記憶するＷｅｂアーカイビング・システムが開示されている。非特許文献１では、Ｗｅｂアーカイブ内に記憶されたＷｅｂページ（例えば、「Ａ」）の内部に内包する関連するＷｅｂページ（例えば、「ａ」）へのリンクをＷｅｂアーカイブ内に記憶したＷｅｂページ「ａ」へのリンクに書き換えており、非特許文献２では、ＨＴＭＬファイルの末尾に固定の「Ｊａｖａ（登録商標）Ｓｃｒｉｐｔ」を追加することによって、ＨＴＭＬファイル内に静的に記述されたリンク先のＵＲＬを、参照時にＷｅｂブラウザに書き換えさせている。このようにして、インターネット上のＷｅｂページが消失しても、Ｗｅｂアーカイブ内に蓄積された情報を参照できるようにしている。
【０００４】
【非特許文献１】“国立国会図書館インターネット資源選択的蓄積実験事業ＷＡＲＰ”、インターネット＜ＵＲＬ：http://warp.ndl.go.jp/＞
【非特許文献２】"Way Back Machine"、インターネット＜ＵＲＬ：http://www.archive.org/＞
【発明の開示】
【発明が解決しようとする課題】
【０００５】
しかしながら、上記の従来技術（非特許文献１、２）では、Ｗｅｂアーカイブ内に記憶された多種多様なＷｅｂページのリンクをたどることができないという問題点があった。具体的には、Ｗｅｂページ「Ａ」から関連するＷｅｂページ「ａ」に正しくジャンプさせるために、Ｗｅｂアーカイブ内に記憶されたＷｅｂページ「Ａ」の内部に書き込まれたリンク先のアドレス（ＵＲＬ）を書き換える必要があるが、Ｗｅｂアーカイビング・システムで書き換え可能なリンクは、解析と書き換えが可能なＨＴＭＬファイル内に静的に記述されたリンクに限られているため、Ｗｅｂアーカイブ内に記憶されたＨＴＭＬファイルの静的なリンクからしか、関連するＷｅｂページにジャンプすることができず、ＨＴＭＬファイル内の「Ｊａｖａ（登録商標）Ｓｃｒｉｐｔ」によるリンクやＨＴＭＬファイル以外のＷｅｂページからは、関連するＷｅｂページにジャンプすることができない。
【０００６】
すなわち、上記の従来技術では、インターネット上に存在する様々な各種ワープロ文書、各種アプリケーション向けデータ、マルチメディアデータ等のＷｅｂページの内部に存在するリンクの解析および書き換えが不可能であるため、Ｗｅｂアーカイブ内に記憶されたＷｅｂページのリンクを正しくたどって参照することができない。また、ＨＴＭＬファイル内に記述されたリンクであっても、各種スクリプトによって動的に生成されるリンクは、解析できず書き換えが困難であるため、同様の問題が生じる。
【０００７】
そこで、本発明は、上述した従来技術による問題点を解消するためになされたものであり、Ｗｅｂアーカイブ内に記憶された多種多様なＷｅｂページのリンクをたどることができる情報取得プログラム、情報取得方法および情報取得装置を提供することを目的とする。
【課題を解決するための手段】
【０００８】
上述した課題を解決し、目的を達成するために、本発明は、ネットワークを介して収集されたＷｅｂページを記憶するＷｅｂアーカイブから所望のＷｅｂページを取得するためにコンピュータで実行される情報取得プログラムであって、前記Ｗｅｂアーカイブへ情報要求して所望のＷｅｂページの検索またはブラウジングをおこなう手順と、前記特定されたＷｅｂページ上で指定されたリンク先のＵＲＬに、前記Ｗｅｂアーカイブが具備されているＷｅｂアーカイビング・サーバのアドレスを埋め込む手順と、前記アドレスをもとに、Ｗｅｂアーカイビング・サーバに対してＷｅｂページの要求をおこなって前記Ｗｅｂアーカイブからリンク先のＷｅｂページを取得する取得手順と、をコンピュータに実行させることを特徴とする。
【０００９】
また、本発明は、上記発明において、前記Ｗｅｂアーカイブは、収集されたＷｅｂページのアドレスと該Ｗｅｂページの世代情報とを対応付けてＷｅｂページを記憶しており、前記所望のＷｅｂページの検索またはブラウジングがおこなわれた際に、該検索またはブラウジングに係る指示から特定されるＷｅｂページの世代情報を前記Ｗｅｂアーカイブから入手して保持する保持手順をさらにコンピュータに実行させ、前記取得手順では、Ｗｅｂアーカイビング・サーバに対してＷｅｂページの要求をおこなうときに、該Ｗｅｂページの世代情報を含めて要求することを特徴とする。
【００１０】
また、本発明は、上記発明において、前記保持手順は、前記世代情報としてＷｅｂページの収集日時を保持することを特徴とする。
【００１１】
また、本発明は、上記発明において、前記取得手順で前記Ｗｅｂアーカイビング・サーバにＷｅｂページの要求をおこなうときに、前記Ｗｅｂアーカイブに前記アドレスおよび世代情報が一致するＷｅｂページが収集されていない場合には、前記Ｗｅｂアーカイブから同一のアドレスで世代情報の異なるＷｅｂページの世代一覧を取得する手順をさらにコンピュータに実行させることを特徴とする。
【００１２】
また、本発明は、上記発明において、ネットワークを介して収集されたＷｅｂページを記憶するＷｅｂアーカイブから所望のＷｅｂページを取得する情報取得方法であって、前記Ｗｅｂアーカイブへ情報要求して所望のＷｅｂページの検索またはブラウジングをおこなう工程と、前記特定されたＷｅｂページ上で指定されたリンク先のＵＲＬに、前記Ｗｅｂアーカイブが具備されているＷｅｂアーカイビング・サーバのアドレスを埋め込む工程と、前記アドレスをもとに、Ｗｅｂアーカイビング・サーバに対してＷｅｂページの要求をおこなって前記Ｗｅｂアーカイブからリンク先のＷｅｂページを取得する取得工程と、を含んだことを特徴とする。
【００１３】
また、本発明は、上記発明において、前記Ｗｅｂアーカイブは、収集されたＷｅｂページのアドレスと該Ｗｅｂページの世代情報とを対応付けてＷｅｂページを記憶しており、前記所望のＷｅｂページの検索またはブラウジングがおこなわれた際に、該検索またはブラウジングに係る指示から特定されるＷｅｂページの世代情報を前記Ｗｅｂアーカイブから入手して保持する保持工程をさらに含み、前記取得工程では、Ｗｅｂアーカイビング・サーバに対してＷｅｂページの要求をおこなうときに、該Ｗｅｂページの世代情報を含めて要求することを特徴とする。
【００１４】
また、本発明は、上記発明において、ネットワークを介して収集されたＷｅｂページを記憶するＷｅｂアーカイブから所望のＷｅｂページを取得する装置であって、前記Ｗｅｂアーカイブへ情報要求して所望のＷｅｂページの検索またはブラウジングをおこなう手段と、前記特定されたＷｅｂページ上で指定されたリンク先のＵＲＬに、前記Ｗｅｂアーカイブが具備されているＷｅｂアーカイビング・サーバのアドレスを埋め込む手段と、前記アドレスをもとに、Ｗｅｂアーカイビング・サーバに対してＷｅｂページの要求をおこなって前記Ｗｅｂアーカイブからリンク先のＷｅｂページを取得する取得手段と、を備えたことを特徴とする。
【００１５】
また、本発明は、上記発明において、前記Ｗｅｂアーカイブは、収集されたＷｅｂページのアドレスと該Ｗｅｂページの世代情報とを対応付けてＷｅｂページを記憶しており、前記所望のＷｅｂページの検索またはブラウジングがおこなわれた際に、該検索またはブラウジングに係る指示から特定されるＷｅｂページの世代情報を前記Ｗｅｂアーカイブから入手して保持する保持手段をさらに含み、前記取得手段がＷｅｂアーカイビング・サーバに対してＷｅｂページの要求をおこなうときに、該Ｗｅｂページの世代情報を含めて要求することを特徴とする。
【発明の効果】
【００１６】
本発明に係る情報取得プログラムは、Ｗｅｂアーカイブへ情報要求して所望のＷｅｂページの検索またはブラウジングをおこない、特定されたＷｅｂページ上で指定されたリンク先のＵＲＬに、Ｗｅｂアーカイブが具備されているＷｅｂアーカイビング・サーバのアドレスを埋め込み、アドレスをもとに、Ｗｅｂアーカイビング・サーバに対してＷｅｂページの要求をおこなってＷｅｂアーカイブからリンク先のＷｅｂページを取得することとしたので、Ｗｅｂアーカイブ２２ｂ内に記憶されたＷｅｂページに内包されているリンク先のアドレスを書き換えずに、Ｗｅｂアーカイビング・サーバ内に具備されるＷｅｂアーカイブにＷｅｂページの取得要求をおこなうことでき、Ｗｅｂアーカイブ内に記憶された多種多様なＷｅｂページのリンクをたどることが可能な情報取得プログラムが得られるという効果を奏する。
【００１７】
また、本発明に係る情報取得プログラムは、Ｗｅｂアーカイブは、収集されたＷｅｂページのアドレスと該Ｗｅｂページの世代情報とを対応付けてＷｅｂページを記憶しており、所望のＷｅｂページの検索またはブラウジングがおこなわれた際に、該検索またはブラウジングに係る指示から特定されるＷｅｂページの世代情報をＷｅｂアーカイブから入手して保持し、Ｗｅｂアーカイビング・サーバに対してＷｅｂページの要求をおこなうときに、該Ｗｅｂページの世代情報を含めて要求することとしたので、Ｗｅｂアーカイブ内に記憶された多種多様なＷｅｂページのリンクを正確にたどることが可能な情報取得プログラムが得られるという効果を奏する。さらに、これに関連して、ユーザが参照するＷｅｂページの世代情報を自動設定することが可能になる。
【００１８】
また、本発明に係る情報取得プログラムは、世代情報としてＷｅｂページの収集日時を保持することとしたので、所望のＷｅｂページを正確に特定し、取得することが可能な情報取得プログラムが得られるという効果を奏する。
【００１９】
また、本発明に係る情報取得プログラムは、Ｗｅｂアーカイビング・サーバにＷｅｂページの要求をおこなうときに、Ｗｅｂアーカイブにアドレスおよび世代情報が一致するＷｅｂページが収集されていない場合には、Ｗｅｂアーカイブから同一のアドレスで世代情報の異なるＷｅｂページの世代一覧を取得することとしたので、所望するＷｅｂページにおいて所望する世代のものがＷｅｂアーカイブに記憶されていない場合でも、ユーザが所望する情報に関して一定の妥当性を有する情報を提供することが可能な情報取得プログラムが得られるという効果を奏する。
【００２０】
また、本発明に係る情報取得方法は、Ｗｅｂアーカイブへ情報要求して所望のＷｅｂページの検索またはブラウジングをおこない、特定されたＷｅｂページ上で指定されたリンク先のＵＲＬに、Ｗｅｂアーカイブが具備されているＷｅｂアーカイビング・サーバのアドレスを埋め込み、アドレスをもとに、Ｗｅｂアーカイビング・サーバに対してＷｅｂページの要求をおこなってＷｅｂアーカイブからリンク先のＷｅｂページを取得することとしたので、Ｗｅｂアーカイブ２２ｂ内に記憶されたＷｅｂページに内包されているリンク先のアドレスを書き換えずに、Ｗｅｂアーカイビング・サーバ内に具備されるＷｅｂアーカイブにＷｅｂページの取得要求をおこなうことでき、Ｗｅｂアーカイブ内に記憶された多種多様なＷｅｂページのリンクをたどることが可能な情報取得方法が得られるという効果を奏する。
【００２１】
また、本発明に係る情報取得方法は、Ｗｅｂアーカイブは、収集されたＷｅｂページのアドレスと該Ｗｅｂページの世代情報とを対応付けてＷｅｂページを記憶しており、所望のＷｅｂページの検索またはブラウジングがおこなわれた際に、該検索またはブラウジングに係る指示から特定されるＷｅｂページの世代情報をＷｅｂアーカイブから入手して保持し、Ｗｅｂアーカイビング・サーバに対してＷｅｂページの要求をおこなうときに、該Ｗｅｂページの世代情報を含めて要求することとしたので、Ｗｅｂアーカイブ内に記憶された多種多様なＷｅｂページのリンクを正確にたどることが可能な情報取得方法が得られるという効果を奏する。さらに、これに関連して、ユーザが参照するＷｅｂページの世代情報を自動設定することが可能になる。
【００２２】
また、本発明に係る情報取得装置は、Ｗｅｂアーカイブへ情報要求して所望のＷｅｂページの検索またはブラウジングをおこない、特定されたＷｅｂページ上で指定されたリンク先のＵＲＬに、Ｗｅｂアーカイブが具備されているＷｅｂアーカイビング・サーバのアドレスを埋め込み、アドレスをもとに、Ｗｅｂアーカイビング・サーバに対してＷｅｂページの要求をおこなってＷｅｂアーカイブからリンク先のＷｅｂページを取得することとしたので、Ｗｅｂアーカイブ２２ｂ内に記憶されたＷｅｂページに内包されているリンク先のアドレスを書き換えずに、Ｗｅｂアーカイビング・サーバ内に具備されるＷｅｂアーカイブにＷｅｂページの取得要求をおこなうことでき、Ｗｅｂアーカイブ内に記憶された多種多様なＷｅｂページのリンクをたどることが可能な情報取得装置が得られるという効果を奏する。
【００２３】
また、本発明に係る情報取得装置は、Ｗｅｂアーカイブは、収集されたＷｅｂページのアドレスと該Ｗｅｂページの世代情報とを対応付けてＷｅｂページを記憶しており、所望のＷｅｂページの検索またはブラウジングがおこなわれた際に、該検索またはブラウジングに係る指示から特定されるＷｅｂページの世代情報をＷｅｂアーカイブから入手して保持し、Ｗｅｂアーカイビング・サーバに対してＷｅｂページの要求をおこなうときに、該Ｗｅｂページの世代情報を含めて要求することとしたので、Ｗｅｂアーカイブ内に記憶された多種多様なＷｅｂページのリンクを正確にたどることが可能な情報取得装置が得られるという効果を奏する。さらに、これに関連して、ユーザが参照するＷｅｂページの世代情報を自動設定することが可能になる。
【発明を実施するための最良の形態】
【００２４】
以下に、本発明に係る情報取得装置の好適な実施例を詳細に説明する。なお、以下では、本発明に係る情報取得装置の概要および特徴を説明した後に、本実施例１に係る情報取得装置（情報取得方法）について説明し、その後、本実施例２に係る情報取得プログラムを実行するコンピュータシステムを説明し、最後に、本実施例に対する種々の変形例（実施例３）を説明する。
【００２５】
（概要および特徴）
まず最初に、本実施例に係る情報取得装置の概要および特徴を説明する。図１は、本実施例１に係るＷｅｂアーカイビング・システムの構成を示す機能ブロック図である。同図に示すように、このＷｅｂアーカイビング・システム１０は、概略的に、ネットワーク（インターネットまたはイントラネット）１を介して収集されたＷｅｂページを記憶するＷｅｂアーカイブから所望のＷｅｂページを取得するものであり、Ｗｅｂアーカイビング・サーバ２０と、情報取得装置３０とをインターネットまたはイントラネットなどのネットワークを介して相互に通信可能に接続して構成される。
【００２６】
ここで、かかる情報取得装置３０は、Ｗｅｂアーカイブへ情報要求して所望のＷｅｂページの検索またはブラウジングをおこない、特定されたＷｅｂページ上で指定されたリンク先のＵＲＬに、Ｗｅｂアーカイブが具備されているＷｅｂアーカイビング・サーバのアドレスを埋め込み、該アドレスをもとに、Ｗｅｂアーカイビング・サーバ２０に対してＷｅｂページの要求をおこなってＷｅｂアーカイブからリンク先のＷｅｂページを取得する情報取得処理に主たる特徴があり、かかる情報取得処理によって、Ｗｅｂアーカイブ内に記憶された多種多様なＷｅｂページのリンクをたどることができるようにしている。
【００２７】
この主たる特徴を具体的に説明すると、情報取得装置３０は、Ｗｅｂアーカイブへ情報要求して所望のＷｅｂページの検索またはブラウジングをおこない、特定されたＷｅｂページ上で指定されたリンク先のＵＲＬに、Ｗｅｂアーカイブが具備されているＷｅｂアーカイビング・サーバのアドレスを埋め込み、該アドレスをもとに、Ｗｅｂアーカイビング・サーバ２０に対してＷｅｂページの要求をおこなうことにより、Ｗｅｂアーカイブ内のＷｅｂページを参照しているＷｅｂアプリケーションによるインターネット上へのＨＴＴＰ要求を、Ｗｅｂアーカイビング・サーバ２０へのＷｅｂページ取得要求に挿げ替えることができるようにしている。
【００２８】
このため、Ｗｅｂアーカイブ２２ｂ内に記憶されたＷｅｂページに内包されているリンク先の「ＵＲＬ」を書き換えずに、Ｗｅｂアーカイビング・サーバ２０内に具備されるＷｅｂアーカイブ２２ｂにＷｅｂページの取得要求をおこなうことでき、Ｗｅｂアーカイブ内に記憶されたＷｅｂページのリンクをたどることができることとなる。
【００２９】
したがって、上記した主たる特徴のように、Ｗｅｂアーカイブ内のＷｅｂページを参照しているＷｅｂアプリケーションによるインターネット上へのＨＴＴＰ要求を、Ｗｅｂアーカイビング・サーバ２０へのＷｅｂページ取得要求に挿げ替えることにより、既存の汎用的な情報取得機能（Ｗｅｂブラウザ）を用いてＷｅｂアーカイブ２２ｂからＷｅｂページを取得することができ、Ｗｅｂアーカイブ内に記憶された多種多様なＷｅｂページのリンクをたどることが可能になる。
【００３０】
また、本実施例に係る情報取得装置は、上記の主たる特徴に関連して以下に列挙するような特徴も付加的に有するものである。つまり、本実施例では、Ｗｅｂアーカイブは、収集されたＷｅｂページのアドレスと該Ｗｅｂページの世代情報とを対応付けてＷｅｂページを記憶しており、所望のＷｅｂページの検索またはブラウジングがおこなわれた際に、該検索またはブラウジングに係る指示から特定されるＷｅｂページの世代情報をＷｅｂアーカイブから入手して保持し、Ｗｅｂアーカイビング・サーバに対してＷｅｂページの要求をおこなうときに、該Ｗｅｂページの世代情報を含めて要求する。
【００３１】
すなわち、Ｗｅｂアーカイビング・サーバ２０は、図２に示すように、収集されたＷｅｂページのＵＲＬ「ｈｔｔｐ：／／Ｂ社／ＨＴＭＬ−３」と該Ｗｅｂページの世代情報「７月収集」とを対応付けてＷｅｂページをＷｅｂアーカイブ２２ｂに記憶している。そして、情報取得装置３０は、参照中のＷｅｂページ「７月収集Ａ社ＰＤＦ−１」上で指定されたリンク先のＵＲＬ「ｈｔｔｐ：／／Ｂ社／ＨＴＭＬ−３」と、該Ｗｅｂページの世代情報「７月収集」とに基づいてＷｅｂアーカイビング・サーバ２０に対してＷｅｂページ取得要求をおこなってＷｅｂアーカイブ２２ｂからＷｅｂページ「７月収集Ｂ社ＨＴＭＬ−３」を取得する。
【００３２】
つまり、収集前のＷｅｂページに内包されている本来のリンク先の「ＵＲＬ」と、該Ｗｅｂページの世代情報とに基づいてＷｅｂアーカイブ２２ｂに記憶されたリンク先のＷｅｂページを取得することにより、Ｗｅｂアーカイブ２２ｂ内に記憶されたＷｅｂページに内包されているリンク先の「ＵＲＬ」を書き換えずに、Ｗｅｂアーカイブ内に記憶されたＷｅｂページのリンクをたどることができるようにしている。これにより、「Ｆｌａｓｈ」、「Ｗｏｒｄ」、「ＰｏｗｅｒＰｏｉｎｔ」および「ＰＤＦ」などのアプリケーションの内部に存在するリンク、さらに、「Ｊａｖａ（登録商標）Ｓｃｒｉｐｔ」または「ＶＢＳｃｒｉｐｔ」などの各種スクリプトによって動的に生成されるリンクをたどることが可能になる。
【００３３】
したがって、上記した従来技術の例で言えば、Ｗｅｂアーカイブに記憶されたＷｅｂページのリンク先のアドレスをＷｅｂアーカイビング・サーバに対応したアドレスに書き換え、該書き換えられたアドレスをもとにリンク先のＷｅｂページを取得るのではなく、収集前のＷｅｂページに内包されている本来のリンク先のアドレスと、該Ｗｅｂページの世代情報とに基づいてＷｅｂアーカイブに記憶されたリンク先のＷｅｂページを取得することとしたので、Ｗｅｂアーカイブ内に記憶された多種多様なＷｅｂページのリンクを正確にたどることが可能になる。
【００３４】
また、本実施例では、世代情報としてＷｅｂページの収集日時を保持することとしたので、所望のＷｅｂページを正確に特定し、取得することが可能になる。
【実施例１】
【００３５】
次に、本実施例１に係るＷｅｂアーカイビング・システムについて説明する。なお、ここでは、本実施例１に係るＷｅｂアーカイビング・システムの構成について説明した後、各種処理の手順を説明することとする。
【００３６】
（Ｗｅｂアーカイビング・システムの構成）
本実施例１に係るＷｅｂアーカイビング・システムの構成について説明する。このＷｅｂアーカイビング・システム１０は、Ｗｅｂアーカイビング・サーバ２０と、情報取得装置３０とをインターネットなどのネットワーク（インターネットまたはイントラネット）１を介して相互に通信可能に接続して構成される。
【００３７】
このうち、Ｗｅｂアーカイビング・サーバ２０は、図１に示すように、Ｗｅｂアーカイビング・サーバ２０とネットワーク１との間で各種情報の通信を制御する通信制御ＩＦ部２１と、記憶部２２と、制御部２３とから構成される。
【００３８】
記憶部２２は、制御部２３による各種処理に必要なデータおよびプログラムを格納する格納手段（記憶手段）であり、機能概念的に、管理情報データベース２２ａと、Ｗｅｂアーカイブ２２ｂとを備える。
【００３９】
このうち、管理情報データベース２２ａは、収集されたＷｅｂページを記憶するＷｅｂアーカイブ２２ｂの管理情報を記憶する記憶手段であり、具体的には、図３に示すように、収集されたＷｅｂページの「ＵＲＬ」、「収集日時」、収集されたＷｅｂページの内容（コンテンツ）の「格納先」を記憶している。
【００４０】
Ｗｅｂアーカイブ２２ｂは、ネットワーク（インターネットまたはイントラネット）１を介して制御部２３によって収集されたＷｅｂページの内容（コンテンツ）を記憶する記憶手段であり、管理情報データベース２２ａに記憶された管理情報に基づいてＷｅｂページの内容（コンテンツ）を記憶している。
【００４１】
制御部２３は、ＯＳ（Operating System）などの制御プログラム、各種の処理手順（Ｗｅｂロボットを用いたＷｅｂページ収集処理、情報取得装置３０からのＷｅｂページ取得要求に対する管理情報データベース２２ａへの検索処理、および情報取得装置３０からのＷｅｂページ取得要求に対する応答処理など）などを規定したプログラムおよび所要データを格納するための内部メモリを有し、これらによって種々の処理を実行する処理部である。
【００４２】
一方、情報取得装置３０は、概略的に、ＰＣ（パーソナルコンピュータ）、ＰＤＡ、携帯電話および各種モバイルなどの情報処理端末装置であり、図１に示すように、情報取得装置３０とネットワーク１との間で各種情報の通信を制御する通信制御ＩＦ部３３と、入力部３１と、出力部３２と、記憶部３４と、制御部３５とを備える。
【００４３】
このうち、入力部３１は、各種の情報を入力するキーボード、マウスおよびトラックボールなどの指示入力手段であり、参照するＷｅｂページの「検索」または「ブラウジング」の受付、「検索」または「ブラウジング」の結果であるＷｅｂページの世代一覧ページからの世代情報の選択の受付（図４参照）、参照中のＷｅｂページにおけるリンク先のＵＲＬの指定の受付をおこなう。また、後述する「世代情報保持処理」（参照する世代の自動設定）の作動の可否の受付（図５参照）もおこなう。
【００４４】
出力部３２は、各種の情報を出力するモニタなどの出力表示手段であり、参照するＷｅｂページの「検索」または「ブラウジング」の受付画面、「検索」または「ブラウジング」の結果であるＷｅｂページの世代一覧ページ（図４参照）、参照ＰＲＯＸＹ３６によって取得されたＷｅｂページなどを出力する。また、後述する「世代情報保持処理」（参照する世代の自動設定）の作動の可否の受付画面（図５参照）も出力する。
【００４５】
記憶部３４は、制御部３５および参照ＰＲＯＸＹ３７による各種処理に必要なデータおよびプログラムを格納する格納手段（記憶手段）であり、参照ＰＲＯＸＹ３６によって取得されたＷｅｂページの内容（コンテンツ）や、Ｗｅｂアーカイビング・サーバ２０からダウンロードした参照ＰＲＯＸＹ３６、世代情報保持部３７およびアドレス埋込処理部３８のプログラムを格納する。
【００４６】
制御部３５は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、参照ＰＲＯＸＹ３６と、世代情報保持部３７と、アドレス埋込処理部３８とを備える。なお、説明の便宜上、世代情報保持部３７およびアドレス埋込処理部３８を説明した後に、参照ＰＲＯＸＹ３６を説明することとする。
【００４７】
世代情報保持部３７は、Ｗｅｂアーカイブ２２ｂに対して所望のＷｅｂページの検索またはブラウジングがおこなわれた際に、該検索またはブラウジングに係る指示から特定されるＷｅｂページの世代情報を保持する処理部である。具体的には、Ｗｅｂページの検索またはブラウジングに基づく参照ＰＲＯＸＹ３６によるＷｅｂページ取得要求に応答して、Ｗｅｂアーカイビング・サーバ２０からＷｅｂページとともに返却されるＨＴＴＰヘッダ「ＷＡＳｅｔ-ＰＲＯＸＹ：収集日時」からの指示を受けて「収集日時」をＷｅｂページの世代情報として保持する。このように、「世代情報」を保持することとしたのは、ユーザが参照するＷｅｂページの世代情報を自動設定することができるようにするためである。
【００４８】
アドレス埋込処理部３８は、世代情報保持部３７によって世代情報が保持されている場合（参照する世代が自動設定されている場合）に、参照中のＷｅｂページ上で指定されたリンク先のＵＲＬにＷｅｂアーカイブ２２ｂが具備されているＷｅｂアーカイビング・サーバ２０のアドレスを埋め込む処理部である。具体的には、収集前のＷｅｂページに内包されている本来のリンク先のＵＲＬ「ｈｔｔｐ：／／ａａａ／」に、Ｗｅｂページ取り出し用ＣＧＩのＵＲＬ（Ｗｅｂアーカイビング・サーバ２０のＵＲＬ）と世代情報（収集日時）を埋め込む。
【００４９】
すなわち、これによって、Ｗｅｂアーカイブ内のＷｅｂページを参照しているＷｅｂアプリケーションによるインターネット上へのＨＴＴＰ要求を、Ｗｅｂアーカイビング・サーバ２０へのＷｅｂページ取得要求に挿げ替えることができ、既存の汎用的な情報取得機能（Ｗｅｂブラウザ）を用いてＷｅｂアーカイブ２２ｂからＷｅｂページを取得することが可能になる。
【００５０】
参照ＰＲＯＸＹ３６は、ＷｅｂブラウザまたはＷｅｂアプリケーションを代理してＷｅｂアーカイビング・サーバ２０を介してＷｅｂアーカイブ２２ｂからＷｅｂページを取得する処理部である。具体的には、参照中のＷｅｂページ上で指定されたリンク先のＵＲＬと、世代情報保持部３７によって保持された世代情報（収集日時）とに基づいて、アドレス埋込処理部３８によって埋め込まれたアドレスをもとにＷｅｂアーカイビング・サーバ２０に対してＷｅｂページの要求をおこなってＷｅｂアーカイブ２２ｂからリンク先のＷｅｂページを取得する。
【００５１】
つまり、収集前のＷｅｂページに内包されている本来のリンク先の「ＵＲＬ」と、該Ｗｅｂページの世代情報とに基づいてＷｅｂアーカイブ２２ｂに記憶されたリンク先のＷｅｂページを取得することにより、Ｗｅｂアーカイブ２２ｂ内に記憶されたＷｅｂページに内包されているリンク先のＵＲＬを書き換えずに、Ｗｅｂアーカイブ内に記憶されたＷｅｂページのリンクをたどることができるようにしている。これによって、「Ｆｌａｓｈ」、「Ｗｏｒｄ」、「ＰｏｗｅｒＰｏｉｎｔ」および「ＰＤＦ」などのアプリケーションの内部に存在するリンク、さらに、「Ｊａｖａ（登録商標）Ｓｃｒｉｐｔ」または「ＶＢＳｃｒｉｐｔ」などの各種スクリプトによって動的に生成されるリンクをたどることが可能になる。
【００５２】
（各種処理の手順）
次に、本実施例１に係る情報取得装置の各種処理の手順を説明する。なお、ここでは、主たる特徴に関連した処理として、上記した情報取得処理とは別に、参照する世代の自動設定をおこなうために先立っておこなわれる（１）世代情報保持処理を説明した後に、主たる特徴である（２）情報取得処理を説明する。
【００５３】
（１）世代情報保持処理
図７は、世代情報保持処理の手順を示すフローチャートである。同図に示すように、入力部３１は、Ｗｅｂページの検索またはブラウジングに基づくＷｅｂアーカイブへのＷｅｂページ取得要求を受け付ける（ステップＳ５０１）。具体的には、参照するＷｅｂページの「検索」または「ブラウジング」に際してＵＲＬ受け付けるとともに、「検索」または「ブラウジング」の結果であるＷｅｂページの世代一覧ページからの世代情報の選択を受け付ける（図４参照）。
【００５４】
続いて、参照ＰＲＯＸＹ３６は、Ｗｅｂブラウザに代理してＷｅｂアーカイビング・サーバ２０に対してＷｅｂページを要求して（ステップＳ５０２）、Ｗｅｂアーカイブ２２ｂからＷｅｂページを取得するとともに、該Ｗｅｂページの収集日時を取得する（ステップＳ５０３）。そして、参照ＰＲＯＸＹ３６は、取得したＷｅｂページをＷｅｂアプリケーションを介して出力部３２において出力する（ステップＳ５０４）。
【００５５】
ここで、世代情報保持部３７は、参照ＰＲＯＸＹ３６によって取得されたＷｅｂページの収集日時をＷｅｂページの世代情報として保持する（ステップＳ５０５）。具体的には、Ｗｅｂページの検索またはブラウジングに基づく参照ＰＲＯＸＹ３６によるＷｅｂページ取得要求に応答して、Ｗｅｂアーカイビング・サーバ２０からＷｅｂページとともに返却されるＨＴＴＰヘッダ「ＷＡＳｅｔ-ＰＲＯＸＹ：収集日時」からの指示を受けて「収集日時」をＷｅｂページの世代情報として保持する。
【００５６】
上記した一連の処理を経て、世代情報保持部３７には、Ｗｅｂページの「世代情報」が保持されることとなる。このように、「世代情報」を保持することとしたのは、ユーザが参照するＷｅｂページの世代情報を自動設定することができるようにするためである。
【００５７】
（２）情報取得処理
次に、情報取得処理について説明する。図８は、情報取得処理の手順を示すフローチャートである。同図に示すように、入力部３１は、参照中のＷｅｂページにおけるリンク先のＵＲＬの指定を受け付ける（ステップＳ６０１）。そして、アドレス埋込処理部３８は、参照中のＷｅｂページ上で指定されたリンク先のアドレス（ＵＲＬ）にＷｅｂアーカイビング・サーバ２０のアドレスを埋め込む（ステップＳ６０２）。
【００５８】
ここで、参照ＰＲＯＸＹ３６は、参照中のＷｅｂページ上で指定されたリンク先のＵＲＬと、世代情報保持部３７によって保持された世代情報（収集日時）とに基づいて、アドレス埋込処理部３８によって埋め込まれたＵＲＬをもとにＷｅｂアーカイビング・サーバ２０に対してＷｅｂページを要求する（ステップＳ６０３）。
【００５９】
そして、Ｗｅｂアーカイブ２２ｂに「ＵＲＬ」および「収集日時」が一致するＷｅｂページがあれば（ステップＳ６０４肯定）、Ｗｅｂアーカイブ２２ｂからリンク先のＷｅｂページを取得し、取得したＷｅｂページをＷｅｂアプリケーションを介して出力部３２において出力する（ステップＳ６０５）。
【００６０】
また、Ｗｅｂアーカイブ２２ｂに「ＵＲＬ」および「収集日時」が一致するＷｅｂページがなければ（ステップＳ６０４否定）、Ｗｅｂページ取得要求に該当するＷｅｂページがＷｅｂアーカイブ２２ｂに収集されていない旨を示す情報を出力する（ステップＳ６０６）。
【００６１】
上述してきたように、本実施例１に係る情報取得装置３０によれば、Ｗｅｂアーカイブ２２ｂへ情報要求して所望のＷｅｂページの検索またはブラウジングをおこない、特定されたＷｅｂページ上で指定されたリンク先のＵＲＬに、Ｗｅｂアーカイブが具備されているＷｅｂアーカイビング・サーバ２０のアドレスを埋め込み、該アドレスをもとに、Ｗｅｂアーカイビング・サーバ２０に対してＷｅｂページの要求をおこなうこととしたので、Ｗｅｂアーカイブ２２ｂ内に記憶されたＷｅｂページに内包されているリンク先の「ＵＲＬ」を書き換えずに、Ｗｅｂアーカイビング・サーバ２０内に具備されるＷｅｂアーカイブ２２ｂにＷｅｂページの取得要求をおこなうことでき、Ｗｅｂアーカイブ内に記憶された多種多様なＷｅｂページのリンクをたどることが可能になる。
【００６２】
また、本実施例１に係る情報取得装置３０によれば、Ｗｅｂアーカイブ２２ｂは、収集されたＷｅｂページのアドレスと該Ｗｅｂページの世代情報とを対応付けてＷｅｂページを記憶しており、所望のＷｅｂページの検索またはブラウジングがおこなわれた際に、該検索またはブラウジングに係る指示から特定されるＷｅｂページの世代情報をＷｅｂアーカイブから入手して保持し、Ｗｅｂアーカイビング・サーバ２０に対してＷｅｂページの要求をおこなうときに、該Ｗｅｂページの世代情報を含めて要求することとしたので、Ｗｅｂアーカイブ内に記憶された多種多様なＷｅｂページのリンクを正確にたどることが可能になる。さらに、これに関連して、ユーザが参照するＷｅｂページの世代情報を自動設定することが可能になる。
【実施例２】
【００６３】
ところで、上記実施例１で説明した情報取得装置および情報取得方法は、あらかじめ用意されたプログラムをパーソナル・コンピュータやワークステーションなどのコンピュータシステムで実行することによって実現することができる。そこで、本実施例２では、上記実施例１で説明した情報取得装置（情報取得方法）と同様の機能を有する情報取得プログラムを実行するコンピュータシステムについて説明する。
【００６４】
図９は、本実施例２に係るコンピュータシステムの構成を示すシステム構成図であり、図１０は、このコンピュータシステムにおける本体部の構成を示すブロック図である。図９に示すように、本実施例２に係るコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００６５】
また、このコンピュータシステム１００における本体部１０１は、図１０に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００６６】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２並びにプリンタ１１３などが接続される。
【００６７】
そして、このコンピュータシステム１００は、所定の記録媒体に記録された情報取得プログラムを読み出して実行することで情報取得装置（情報取得方法）を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な情報取得プログラムを記録する、あらゆる記録媒体を含むものである。
【００６８】
すなわち、情報取得プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から情報取得プログラムを読み出して実行することで情報取得装置および情報取得方法を実現する。なお、情報取得プログラムは、コンピュータシステム１００によって実行されることに限定されるものではなく、他のコンピュータシステム１１１またはサーバ１１２が情報取得プログラムを実行する場合や、これらが協働して情報取得プログラムを実行するような場合にも、本発明を同様に適用することができる。
【実施例３】
【００６９】
さて、これまで本発明の実施例１および２について説明したが、本発明は上述した実施例以外にも、上記特許請求の範囲に記載した技術的思想の範囲内において種々の異なる実施例にて実施されてもよいものである。
【００７０】
例えば、本実施例では、ユーザが参照するＷｅｂページの世代情報を受け付け、受け付けられた世代情報を保持する。具体的には、図６に示すように、参照するＷｅｂページの世代の設定および変更を受け付ける。すなわち、これによって、参照するＷｅｂページの世代情報をユーザが任意に設定することが可能になる。
【００７１】
また、本実施例では、Ｗｅｂアーカイビング・サーバ２０に対してＷｅｂページ取得要求をおこなった場合に、Ｗｅｂアーカイブ２２ｂに「ＵＲＬ」および「収集日時」が一致するＷｅｂページがなければ、Ｗｅｂページ取得要求に該当するＷｅｂページがＷｅｂアーカイブ２２ｂに収集されていない旨を示す情報を出力することとしたが、本発明はこれに限定されるものではなく、Ｗｅｂアーカイブ２２ｂから同一の「ＵＲＬ」で別の日時に収集されたＷｅｂページの世代一覧の返却を受けて出力するようにしてもよい。すなわち、これによって、所望するＷｅｂページにおいて所望する世代のものがＷｅｂアーカイブに記憶されていない場合でも、ユーザが所望する情報に関して一定の妥当性を有する情報を提供することが可能になる。
【００７２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００７４】
以上のように、本発明に係る情報取得プログラム、情報取得方法および情報取得装置は、ネットワークを介して収集されたＷｅｂページを記憶するＷｅｂアーカイブから所望のＷｅｂページを取得する情報取得プログラム、情報取得方法および情報取得装置に有用であり、特に、「Ｆｌａｓｈ」、「Ｗｏｒｄ」、「ＰｏｗｅｒＰｏｉｎｔ」および「ＰＤＦ」などのアプリケーションの内部に存在するリンク、「Ｊａｖａ（登録商標）Ｓｃｒｉｐｔ」または「ＶＢＳｃｒｉｐｔ」などの各種スクリプトによって動的に生成されるリンクをたどることができる情報取得プログラム、情報取得方法および情報取得装置に適している。
【図面の簡単な説明】
【００７５】
【図１】本実施例１に係るＷｅｂアーカイビング・システムの構成を示す機能ブロック図である。
【図２】本発明に係る情報取得装置の概要および特徴を説明するための説明図である。
【図３】管理情報データベースに記憶される情報の構成例を示す図である。
【図４】出力部に表示される画面の構成例である。
【図５】出力部に表示される画面の構成例である。
【図６】出力部に表示される画面の構成例である。
【図７】世代情報保持処理の手順を示すフローチャートである。
【図８】情報取得処理の手順を示すフローチャートである。
【図９】本実施例２に係るコンピュータシステムの構成を示すシステム構成図である。
【図１０】図９に示したコンピュータシステムにおける本体部の構成を示すブロック図である。
【符号の説明】
【００７６】
１    ネットワーク
１０    Ｗｅｂアーカイビング・システム
２０    Ｗｅｂアーカイビング・サーバ
２１    通信制御ＩＦ部、
２２    記憶部
２２ａ  管理情報データベース
２２ｂ  Ｗｅｂアーカイブ
２３    制御部
３０    情報取得装置
３１    入力部
３２    出力部
３３    通信制御ＩＦ部
３４    記憶部
３５    制御部
３６    参照ＰＲＯＸＹ
３７    世代情報保持部
３８    アドレス埋込処理部
１００    コンピュータシステム
１０１    本体部
１０２    ディスプレイ
１０２ａ    表示画面
１０３    キーボード
１０４    マウス
１０５    モデム
１０６    ＬＡＮ／ＷＡＮ
１０７    公衆回線
１０８    ＦＤ
１０９    ＣＤ−ＲＯＭ
１１１    ＰＣ
１１２    サーバ
１１３    プリンタ
１２１    ＣＰＵ
１２２    ＲＡＭ
１２３    ＲＯＭ
１２４    ＨＤＤ
１２５    ＣＤ−ＲＯＭドライブ
１２６    ＦＤドライブ
１２７    Ｉ／Ｏインターフェース
１２８    ＬＡＮインターフェース
【図１】
2005148861.tif 000003
【図２】
2005148861.tif 000004
【図３】
2005148861.tif 000005
【図４】
2005148861.tif 000006
【図５】
2005148861.tif 000007
【図６】
2005148861.tif 000008
【図７】
2005148861.tif 000009
【図８】
2005148861.tif 000010
【図９】
2005148861.tif 000011
【図１０】
2005148861.tif 000012